(57)【特許請求の範囲】
【請求項１】
協調マルチポイント（coordinated  multipoint，CoMP）伝送のためのデータ伝送装置であって、
論理レーンと物理レーンとの予め設定されたマッピング関係に従って、Ｎ個の予め構成された論理レーンをＭ個の論理レーン群に分け、前記論理レーン群の各々を前記データ伝送装置の異なる物理レーンにマッピングするように構成される処理モジュールであって、ＭとＮの両方は正の整数であり、ＭはＮよりも小さく、Ｍは前記データ伝送装置の物理レーンの数である、処理モジュールと、
前記物理レーンの各々を用いて、受信装置に、前記物理レーンの各々に対応する論理レーン群の各論理レーンに構成された信号を伝送するように構成される伝送モジュールと、
を備え、
前記処理モジュールは、
前記マッピング関係に従って、前記Ｎ個の予め構成された論理レーンを前記Ｍ個の論理レーン群に均等に分けるように構成され、
前記処理モジュールは、以下のマッピング方式、すなわち、
【数４９】
0006293286.tif 000050
に従って、前記Ｎ個の予め構成された論理レーンを前記Ｍ個の論理レーン群に均等に分け、前記論理レーン群の各々を前記データ伝送装置の異なる物理レーンにマッピングし、
式中、Pnは論理レーンのポート番号を表し、n＝０，…，N-1、Nは論理レーンの数であり、Pmは物理レーンのポート番号を表し、m＝０，…，M-1、N＝A*M、Aは１よりも大きい正の整数であり、
【数５０】
0006293286.tif 000051
はマッピング行列であり、前記マッピング行列の各行はA個のノンゼロエレメントを含み、前記マッピング行列の異なる行に含まれるノンゼロエレメントの位置は全て異なり、前記マッピング行列の各行に含まれる前記ノンゼロエレメントは、該行に対応する論理レーン群に含まれる論理レーンに対応する重み付け係数であり、
任意の２つの異なる論理レーン群に含まれる論理レーンに対応する重み付け係数のノルムの平方和は１に等しい、
データ伝送装置。
【請求項２】
同じ論理レーン群に含まれる論理レーンに対応する重み付け係数のノルムは等しい、
請求項１に記載のデータ伝送装置。
【請求項３】
前記マッピング関係において、異なる論理レーン群において同じ位置に位置する論理レーンは同じ重み付け係数をもつ、
請求項１又は２に記載のデータ伝送装置。
【請求項４】
協調マルチポイント（coordinated  multipoint，CoMP）伝送を実行するためのデータ伝送の方法であって、
ネットワーク装置が、論理レーンと物理レーンとの予め設定されたマッピング関係に従って、Ｎ個の予め構成された論理レーンをＭ個の論理レーン群に分け、前記論理レーン群の各々を前記ネットワーク装置の異なる物理レーンにマッピングするステップであって、ＭとＮの両方は正の整数であり、ＭはＮよりも小さく、Ｍは前記ネットワーク装置の物理レーンの数である、ステップと、
前記ネットワーク装置が、前記物理レーンの各々を用いて、受信装置に、前記物理レーンの各々に対応する論理レーン群の各論理レーンに構成された信号を伝送するステップと、
を含み、
ネットワーク装置が前記マッピング関係に従ってＮ個の予め構成された論理レーンをＭ個の論理レーン群に分ける前記ステップは、
前記ネットワーク装置が、前記マッピング関係に従って、前記Ｎ個の予め構成された論理レーンを前記Ｍ個の論理レーン群に均等に分けるステップ、
を含み、
前記ネットワーク装置は、以下のマッピング関係、すなわち、
【数５１】
0006293286.tif 000052
に従って、前記Ｎ個の予め構成された論理レーンを前記Ｍ個の論理レーン群に均等に分け、前記論理レーン群の各々を前記ネットワーク装置の異なる物理レーンにマッピングし、
式中、Pnは論理レーンのポート番号を表し、n＝０，…，N-1、Nは論理レーンの数であり、Pmは物理レーンのポート番号を表し、m＝０，…，M-1、N＝A*M、Aは１よりも大きい正の整数であり、
【数５２】
0006293286.tif 000053
はマッピング行列であり、前記マッピング行列の各行はA個のノンゼロエレメントを含み、前記マッピング行列の異なる行に含まれるノンゼロエレメントの位置は全て異なり、前記マッピング行列の各行に含まれる前記ノンゼロエレメントは、該行に対応する論理レーン群に含まれる論理レーンに対応する重み付け係数であり、
任意の２つの異なる論理レーン群に含まれる論理レーンに対応する重み付け係数のノルムの平方和は１に等しい、
方法。
【請求項５】
同じ論理レーン群に含まれる論理レーンに対応する重み付け係数のノルムは等しい、
請求項４に記載の方法。
【請求項６】
前記マッピング関係において、異なる論理レーン群において同じ位置に位置する論理レーンは同じ重み付け係数をもつ、
請求項４又は５に記載の方法。
【発明の詳細な説明】
【技術分野】
【０００１】
本願は、２０１３年１２月２５日出願の「データ伝送の方法及び装置」と題される中国特許出願番号第２０１３１０７２８４９４．０号に対する優先権を主張し、その全体を参照により本明細書に援用する。
【０００２】
本発明は通信技術分野に関し、特に、データ伝送の方法及び装置に関する。
【背景技術】
【０００３】
多入力多出力（Multiple-Input  Multiple-Output，ＭＩＭＯ）システムは、通信リンクの送信端と受信端の両方で複数のアンテナが使用される伝送方式を指し、サービスの伝送速度を高めるように、従来の通信システムにおいて既存のマルチパス要素を、ユーザーの通信性能に有益な要素にすることができる。協調マルチポイント送信／受信（Coordinated  Multipoint  Transmission/Reception，ＣＯＭＰ）技術は、地理的位置が互いに分離されている複数のネットワークエレメント間の協調伝送を指す。複数のネットワークエレメント間の協調伝送により、異なるネットワークエレメント間の干渉を効果的に低減し、ユーザー（特にセル端ユーザー）のスループットを向上させることができる。
【０００４】
従来の技術において、協調マルチポイント動作モードでは、通常、互いに協調する動作中のネットワークエレメントの各々の物理レーンの数は等しくなく、異なる動作中のネットワークエレメントの物理レーン（物理ポートとも呼ばれる）の数が、ＭＩＭＯモードすなわちダウンリンク送信モードを決定する。ロング・ターム・エボリューション（Long  Term  Evolution，ＬＴＥ）システムを例に挙げると、ＭＩＭＯモードは送信モード２（Transmission  Mode  2，ＴＭ２）、ＴＭ３、ＴＭ４、ＴＭ７、ＴＭ８等を含む。現在、シングルポイント・ネットワークエレメントの動作モードにおいて、ネットワークエレメントによってサポートされる論理レーン（論理ポートとも呼ばれる）の数は、ネットワークエレメントの有効アンテナアレイの自由度よりも大きくないことが要求される。自由度は、物理レーンの数（又は物理ポートの数）とも呼ばれる。シングルポイント・ネットワークエレメントの動作モードにおいて、ネットワークエレメントの物理レーンと論理レーンとのマッピングは、コヒーレンス要件を満たす必要がある。具体的には、マルチストリーム多重化と最適コヒーレントゲインの両方を満足する必要があるということである。シングルポイント・ネットワークエレメントの動作モードにおけるいくつかのポート（port）マッピング方式を、以下に列挙する。
（１）８個の物理レーンと２個の論理レーンのマッピング：
【数１】
0006293286.tif 000002
（２）４個の物理レーンと４個の論理レーンのマッピング：
【数２】
0006293286.tif 000003
（３）４個の物理レーンと２個の論理レーンのマッピング：
【数３】
0006293286.tif 000004
（４）２個の物理レーンと２個の論理レーンのマッピング：
【数４】
0006293286.tif 000005
（５）１個の物理レーンと１個の論理レーンのマッピング：
【数５】
0006293286.tif 000006
【０００５】
シングルポイント・ネットワークエレメントの動作モードでは、ネットワークエレメントの論理レーンが物理レーン以下であることが要求されるので、協調マルチポイント送信／受信では、ネットワーク全体のＭＩＭＯモードが、物理レーンの数が少ないネットワークエレメントによって制限される。例えば、８レーン無線リモートユニット（Radio  Remote  Unit，ＲＲＵ）が１レーンＲＲＵとの協調送信を行うとき、８レーンＲＲＵの１レーンＲＲＵとの協調送信の場合、１レーンＲＲＵは１つの論理レーンしかサポートすることができないので、１つの論理レーンしかサポートすることができない。この場合、ＭＩＭＯモードは、送信モード１（Transmission  Mode  1，ＴＭ１）しかサポートすることができず、より高次のＭＩＭＯモードをサポートすることができない。別の例として、８レーンＲＲＵが２レーンＲＲＵとの協調送信を行うとき、８レーンＲＲＵの２レーンＲＲＵとの協調送信の場合、２レーンＲＲＵは最大２個の論理レーンしかサポートすることができないので、最大２個の論理レーンしかサポートすることができない。この場合、ＭＩＭＯモードは、ＴＭ１とＴＭ２しかサポートすることができず、ＴＭ３やＴＭ４等のより高次のＭＩＭＯモードをサポートすることができない。したがって、物理レーンの数が多いネットワークエレメントのパフォーマンスとカバレッジの低下が深刻なものになってしまう。
【０００６】
要約すると、既存の協調マルチ動作モードでは、物理レーンの数が少ないネットワーク要素によりネットワーク全体のＭＩＭＯモードが制限され、ＭＩＭＯモードが限定されることにより、物理レーンの数が多いネットワークエレメントの性能及びカバレッジの低下が深刻なものになってしまう。
【発明の概要】
【０００７】
本発明の実施形態は、既存の協調マルチ動作モードにおいて、物理レーンの数が少ないネットワークエレメントによりネットワーク全体のＭＩＭＯモードが制限されるという問題を解決するために用いられる、データ伝送の方法及び装置を提供する。
【０００８】
第１の態様によれば、ネットワーク装置が提供される。ネットワーク装置はＭ個の物理レーンを有する。ネットワーク装置は、
論理レーンと物理レーンとの予め設定されたマッピング関係に従って、Ｎ個の予め構成された論理レーンをＭ個の論理レーン群に分け、論理レーン群の各々をネットワーク装置の異なる物理レーンにマッピングするように構成されるプロセッサであって、ＭとＮの両方は正の整数であり、ＭはＮよりも小さい、プロセッサと、
物理レーンの各々を用いて、受信装置に、物理レーンの各々に対応する論理レーン群の各論理レーンに構成された信号を伝送するように構成される送受信器と、
を備える。
【０００９】
本発明の本実施形態において提供されるネットワーク装置が受信装置にデータを送信するとき、ネットワーク装置は、当該ネットワーク装置の物理レーンの数よりも多い論理レーンをサポートすることができる。
【００１０】
第１の態様に関して、第１の可能な実施方式では、プロセッサは、具体的には、
マッピング関係に従って、Ｎ個の予め構成された論理レーンをＭ個の論理レーン群に均等に分けるように構成される。
【００１１】
第１の態様の第１の可能な実施方式に関して、第２の可能な実施方式では、プロセッサは、以下のマッピング関係、すなわち、
【数６】
0006293286.tif 000007
に従って、Ｎ個の予め構成された論理レーンをＭ個の論理レーン群に均等に分け、論理レーン群の各々をネットワーク装置の異なる物理レーンにマッピングする。式中、Pnは論理レーンのポート番号を表し、n＝０，…，N-1、Nは論理レーンの数である。Pmは物理レーンのポート番号を表し、m＝０，…，M-1、N＝A*M、Aは正の整数であり、
【数７】
0006293286.tif 000008
はマッピング行列である。マッピング行列の各行はA個のノンゼロエレメントを含み、マッピング行列の異なる行に含まれるノンゼロエレメントの位置は全て異なり、マッピング行列の各行に含まれるノンゼロエレメントは、該行に対応する論理レーン群に含まれる論理レーンに対応する重み付け係数である。
【００１２】
第１の態様の第２の可能な実施方式に関して、第３の可能な実施方式では、同じ論理レーン群に含まれる論理レーンに対応する重み付け係数のノルムは等しい。
【００１３】
第１の態様第２の可能な実施方式又は第１の態様の第３の可能な実施方式に関して、第４の可能な実施方式では、任意の２つの異なる論理レーン群に含まれる論理レーンに対応する重み付け係数のノルムの平方和は等しい。
【００１４】
第１の態様の第２の可能な実施方式、第１の態様の第３の可能な実施方式又は第１の態様の第４の可能な実施方式に関して、第５の可能な実施方式では、マッピング関係において、異なる論理レーン群において同じ位置に位置する論理レーンは同じ重み付け係数をもつ。
【００１５】
第２の態様によれば、データ伝送方法が提供される。本方法は、
ネットワーク装置が、論理レーンと物理レーンとの予め設定されたマッピング関係に従って、Ｎ個の予め構成された論理レーンをＭ個の論理レーン群に分け、論理レーン群の各々をネットワーク装置の異なる物理レーンにマッピングするステップであって、ＭとＮの両方は正の整数であり、ＭはＮよりも小さく、Ｍはネットワーク装置の物理レーンの数である、ステップと、
物理レーンの各々を用いて、受信装置に、物理レーンの各々に対応する論理レーン群の各論理レーンに構成された信号を伝送するステップと、
を含む。
【００１６】
本発明の本実施形態では、ネットワーク装置が、論理レーンと物理レーンとの予め設定されたマッピング関係に従って、Ｎ個の予め構成された論理レーンをＭ個の論理レーン群に分け、論理レーン群の各々をネットワーク装置の異なる物理レーンにマッピングする。ＭとＮの両方は正の整数であり、ＭはＮよりも小さく、Ｍはネットワーク装置の物理レーンの数である。また、ネットワーク装置が、ネットワーク装置の物理レーンを用いて、受信装置に、物理レーンの各々に対応する論理レーン群の各論理レーンに構成された信号を伝送する。このように、ネットワーク装置は、当該ネットワーク装置の物理レーンの数よりも多い論理レーンをサポートすることができる。
【００１７】
第２の態様に関して、第１の可能な実施方式では、ネットワーク装置がマッピング関係に従ってＮ個の予め構成された論理レーンをＭ個の論理レーン群に分けるステップは、具体的には、
ネットワーク装置が、マッピング関係に従って、Ｎ個の予め構成された論理レーンをＭ個の論理レーン群に均等に分けるステップ、
を含む。
【００１８】
第２の態様の第１の可能な実施方式に関して、第２の可能な実施方式では、ネットワーク装置は、以下のマッピング関係、すなわち、
【数８】
0006293286.tif 000009
に従って、Ｎ個の予め構成された論理レーンをＭ個の論理レーン群に分け、論理レーン群の各々をネットワーク装置の異なる物理レーンにマッピングする。式中、Pnは論理レーンのポート番号であり、n＝０，…，N-1、Nは論理レーンの数である。Pmは物理レーンのポート番号を表し、m＝０，…，M-1、N＝A*M、Aは正の整数であり、
【数９】
0006293286.tif 000010
はマッピング行列である。マッピング行列の各行はA個のノンゼロエレメントを含み、マッピング行列の異なる行に含まれるノンゼロエレメントの位置は全て異なり、マッピング行列の各行に含まれるノンゼロエレメントは、該行に対応する論理レーン群に含まれる論理レーンに対応する重み付け係数である。
【００１９】
第２の態様の第２の可能な実施方式に関して、第３の可能な実施方式では、同じ論理レーン群に含まれる論理レーンに対応する重み付け係数のノルムは等しい。
【００２０】
第２の態様の第２の可能な実施方式又は第２の態様の第３の可能な実施方式に関して、第４の可能な実施方式では、任意の２つの異なる論理レーン群に含まれる論理レーンに対応する重み付け係数のノルムの平方和は等しい。
【００２１】
第２の態様の第２の可能な実施方式、第２の態様の第３の可能な実施方式又は第２の態様の第４の可能な実施方式に関して、第５の可能な実施方式では、マッピング関係において、異なる論理レーン群において同じ位置に位置する論理レーンは同じ重み付け係数をもつ。
【００２２】
第３の態様によれば、データ伝送装置が提供される。データ伝送装置は、
論理レーンと物理レーンとの予め設定されたマッピング関係に従って、Ｎ個の予め構成された論理レーンをＭ個の論理レーン群に分け、論理レーン群の各々をデータ伝送装置の異なる物理レーンにマッピングするように構成される処理モジュールであって、ＭとＮの両方は正の整数であり、ＭはＮよりも小さく、Ｍはデータ伝送装置の物理レーンの数である、処理モジュールと、
物理レーンの各々を用いて、受信装置に、物理レーンの各々に対応する論理レーン群の各論理レーンに構成された信号を伝送するように構成される伝送モジュールと、
を備える。
【００２３】
本発明の本実施形態において提供されるデータ伝送装置が受信装置にデータを送信するとき、データ伝送装置は、当該データ伝送装置の物理レーンの数よりも多い論理レーンをサポートすることができる。
【００２４】
第３の態様に関して、第１の可能な実施方式では、処理モジュールは、具体的には、
マッピング関係に従って、Ｎ個の予め構成された論理レーンをＭ個の論理レーン群に均等に分けるように構成される。
【００２５】
第３の態様の第１の可能な実施方式に関して、第２の可能な実施方式では、処理モジュールは、以下のマッピング方式、すなわち、
【数１０】
0006293286.tif 000011
に従って、Ｎ個の予め構成された論理レーンをＭ個の論理レーン群に均等に分け、論理レーン群の各々をネットワーク装置の異なる物理レーンにマッピングする。式中、Pnは論理レーンのポート番号を表し、n＝０，…，N-1、Nは論理レーンの数である。Pmは物理レーンのポート番号を表し、m＝０，…，M-1、N＝A*M、Aは正の整数であり、
【数１１】
0006293286.tif 000012
はマッピング行列である。マッピング行列の各行はA個のノンゼロエレメントを含み、マッピング行列の異なる行に含まれるノンゼロエレメントの位置は全て異なり、マッピング行列の各行に含まれるノンゼロエレメントは、該行に対応する論理レーン群に含まれる論理レーンに対応する重み付け係数である。
【００２６】
第３の態様の第２の可能な実施方式に関して、第３の可能な実施方式では、同じ論理レーン群に含まれる論理レーンに対応する重み付け係数のノルムは等しい。
【００２７】
第３の態様の第２の可能な実施方式又は第３の態様の第３の可能な実施方式に関して、第４の可能な実施方式では、任意の２つの異なる論理レーン群に含まれる論理レーンに対応する重み付け係数のノルムの平方和は等しい。
【００２８】
第３の態様の第２の可能な実施方式、第３の態様の第３の可能な実施方式又は第３の態様の第４の可能な実施方式に関して、第５の可能な実施方式では、マッピング関係において、異なる論理レーン群において同じ位置に位置する論理レーンは同じ重み付け係数をもつ。
【００２９】
本発明の実施形態において提供されるネットワーク装置は、当該ネットワーク装置の物理レーンの数よりも多い論理レーンをサポートすることができる。よって、複数のネットワーク装置間で調整されたマルチポイント送信／受信が実行されるとき、ＭＩＭＯモードは物理レーンの数が少ないネットワーク装置によって制限されなくなり、また、物理レーンの数が多いネットワーク装置の識別可能な論理レーンも限定されない。このように、協調するネットワーク装置（例えばマクロ基地局）にローミングするとき、ユーザーは、高次ＭＩＭＯモードによってもたらされる利益の恩恵を受けることができる。また、本発明の実施形態において提供されるネットワーク装置（例えばマイクロ基地局）にローミングするとき、ユーザーは、無線リソース制御（Radio  Resource  Control，ＲＲＣ）シグナリングを用いて、低次ＭＩＭＯモードに適応又は制限されることができる。したがって、ユーザーエクスペリエンスが改善される。
【図面の簡単な説明】
【００３０】
【図１】本発明の実施形態に係るネットワーク装置の概略図である。
【図２】本発明の実施形態に係るデータ伝送方法の概略図である。
【図３】本発明の実施形態に係るデータ伝送装置の概略図である。
【発明を実施するための形態】
【００３１】
協調マルチ動作モードにおいて、物理レーンの数が少ないネットワークエレメントによりネットワーク全体のＭＩＭＯモードが制限されないようにするために、本発明の実施形態は、データ伝送方法を提供する。本方法は、ロング・ターム・エボリューション（Long  Term  Evolution，ＬＴＥ）／ロング・ターム・エボリューション・アドバンスト（LTE-Advanced，ＬＴＥ−Ａ）システム、広帯域符号分割多元接続（Wideband  Code  Division  Multiple  Access，ＷＣＤＭＡ）システム、高速パケットアクセス（High  Speed  Packet  Access，ＨＳＰＡ）システム、時分割同期符号分割多元接続（Time  Division-Synchronous  Code  Division  Multiple  Access，ＴＤ−  ＳＣＤＭＡ）システム等の、通信システムに適用することができる。以下の説明は本方法がＬＴＥシステムに適用された例を用いて提供され、他のシステムにおける適用はこの適用に類似するので、本明細書では１つずつ列挙することはしない。
【００３２】
本発明の実施形態は、更に、本明細書の添付の図面を参照しながら詳細に説明される。
【００３３】
本発明の実施形態はネットワーク装置を提供する。ネットワーク装置はＭ個の物理レーンを有する。図１に示されるように、ネットワーク装置は、
論理レーンと物理レーンとの予め設定されたマッピング関係に従って、Ｎ個の予め構成された論理レーンをＭ個の論理レーン群に分け、論理レーン群の各々をネットワーク装置の異なる物理レーンにマッピングするように構成されるプロセッサ１１であって、ＭとＮの両方は正の整数であり、ＭはＮよりも小さい、プロセッサ１１と、
ネットワーク装置の物理レーンの各々を用いて、受信装置に、物理レーンの各々に対応する論理レーン群の各論理レーンに構成された信号を伝送するように構成される送受信器１２と、
を備える。
【００３４】
本発明の本実施形態において提供されるネットワーク装置が受信装置にデータを送信するとき、ネットワーク装置は、当該ネットワーク装置の物理レーンの数よりも多い論理レーンをサポートすることができる。
【００３５】
本発明の本実施形態では、予め構成された論理レーンの数Ｎは、動作モードのネットワーク装置によってサポートされる必要がある論理チャネルの数を指し、Ｎの値はネットワーク装置の物理チャネルの数よりも大きい。ネットワーク装置の物理レーンは、ネットワーク装置のアンテナの物理ポート、すなわち、データの受信及び送信に使用されるレーンを指す。
【００３６】
本発明の本実施形態では、ネットワーク装置は、マクロ基地局（Macro）、マイクロ基地局（Micro）、ピコ基地局（Pico）、ホームノードＢ（フェムト基地局（Femto）とも呼ばれる）、ＲＲＵ等であってよい。
【００３７】
本発明の本実施形態は、複数のネットワーク装置が協調して受信装置にサービスを提供し、且つ、互いに協調するネットワーク装置の物理レーンの数は異なる適用シナリオに適用可能である。物理レーンの数が少ないネットワーク装置は、本発明の本実施形態の解決策を用いて、論理レーンと物理レーンとのマッピングを行うことができる。
【００３８】
具体的には、上述の適用シナリオに基づき、予め構成された論理レーンの数Ｎは、本発明の本実施形態において提供されるネットワーク装置と協調するネットワーク装置とが協調マルチポイント動作モードにおいてサポートする必要のある論理チャネルの数を指す。Ｎの値は、本発明の本実施形態において提供されるネットワーク装置の物理チャネルの数より大きく、協調するネットワーク装置の物理チャネルの数よりも小さい。例えば、ネットワーク計画における技術的パラメータにおいて、協調マルチポイント動作モードにある１つの物理レーンを有するネットワーク装置と８個の物理レーンを有するネットワーク装置とについて構成されたセル固有参照信号（Cell-specific  Reference  Signals，ＣＲＳ）の論理レーンの数は、２である。別の例として、ネットワーク計画における技術的パラメータにおいて、協調マルチポイント動作モードにある２個の物理レーンを有するネットワーク装置と８個の物理レーンを有するネットワーク装置とについて構成されたＣＲＳの論理レーンの数は、４である。更に別の例として、ネットワーク計画における技術的パラメータにおいて、協調マルチポイント動作モードにある２個の物理レーンを有するネットワーク装置と８個の物理レーンを有するネットワーク装置とについて構成されたチャネル状態情報（Channel  State  Information，ＣＳＩ）の論理レーンの数は、８である。ネットワーク計画における技術的パラメータは、ネットワーク分布及び基地局配備（すなわちネットワーク構築）の際に、既存のネットワーク環境シナリオに関して、基地局分布、電力割り当て、アンテナ方位指定、周波数の構成、論理レーンのport（ポート）数や重み付けの構成等が行われるときに構成される情報を指す。
【００３９】
本発明の本実施形態における上述の適用シナリオに基づき、本発明の本実施形態において提供されるネットワーク装置が、協調するネットワーク装置と協調マルチポイント送信／受信を実行するとき、本発明の本実施形態において提供されるネットワーク装置は、該ネットワーク装置の物理レーンの数よりも多い論理レーンをサポートすることができる。よって、物理レーンの数が少ないネットワーク装置によってＭＩＭＯモードが制限されなくなり、また、物理レーンの数が多いネットワーク装置の識別可能な論理レーンも限定されない。このように、協調するネットワーク装置（例えばマクロ基地局）にローミングするとき、ユーザーは、高次ＭＩＭＯモードによってもたらされる利益の恩恵を受けることができる。また、本発明の実施形態において提供されるネットワーク装置（例えばマイクロ基地局）にローミングするとき、ユーザーは、無線リソース制御（Radio  Resource  Control，ＲＲＣ）シグナリングを用いて、低次ＭＩＭＯモードに適応又は制限されることができる。したがって、ユーザーエクスペリエンスが改善される。
【００４０】
実施中、論理レーンと物理レーンの間に予め設定されたマッピング関係において、予め構成された論理レーンをグループ化する方式には複数の方式があり、本発明の本実施形態においてグループ化方式は限定されない。Ｎ個の論理レーンがＭ個の論理レーン群に分割されれば、任意のグループ化方式を用いてグループ化が実行されてよい。
【００４１】
例えば、予め構成された論理レーンの数が８であり（そのポート番号はP0〜P7と記録される）、ネットワーク装置の物理レーンの数が２である（そのポート番号はP0〜P1と記録される）と仮定すると、８個の論理レーンは２個のグループに分けられる。具体的なグループ化方式はポート番号を順番にグループ化する方式であってよく、すなわち、P0〜P3を１つのグループとし、P4〜P7を別のグループとする方式であってよい。或いは、間隔を置いてポート番号をグループ化する方式であってよく、すなわち、ポート番号が奇数である論理レーン（すなわちP1、P3、P5及びP7）を１つのグループとし、ポート番号が偶数である論理レーン（すなわちP0、P2、P4及びP6）を別のグループとする方式であってよい。
【００４２】
別の例として、予め構成された論理レーンの数が８であり（そのポート番号はP0〜P7と記録される）、ネットワーク装置の物理レーンの数が４である（そのポート番号はP0〜P3と記録される）と仮定すると、８個の論理レーンは４個のグループに分けられる。具体的なグループ化方式はポート番号を順番にグループ化する方式であってよく、すなわち、P0とP1を第１の群とし、P2とP3を第２の群とし、P4とP5を第３の群として、P6とP7を第４の群とする方式であってよい。或いは、間隔を置いてポート番号をグループ化する方式であってよい。例えば、各群に含まれる論理レーンのポート番号の間隔が１であり、すなわち、P0とP2を第１の群とし、P1とP3を第２の群とし、P4とP6を第３の群として、P5とP7を第４の群とする。或いは、各群に含まれる論理レーンのポート番号の間隔が３であり、すなわち、P0とP4を第１の群とし、P1とP5を第２の群とし、P2とP6を第３の群とし、P3とP7を第４の群とする。
【００４３】
更に、本発明の実施形態では、論理レーンと物理レーンとの予め設定されたマッピング関係において、論理レーン群の各々は、ネットワーク装置の異なる物理レーンにマッピングされる。論理レーン群と物理レーンとのマッピングを行う方式は複数ある。論理レーン群と物理レーンとのマッピングを行う方式は、異なる論理レーン群が異なる物理レーンにマッピングされることが保証される限り、本発明の本実施形態において限定されない。
【００４４】
例えば、予め構成された論理レーンの数が８であり（そのポート番号はP0〜P7と記録される）、ネットワーク装置の物理レーンの数が２である（そのポート番号はP0，P1と記録される）と仮定すると、８個の論理レーンは、ポート番号を順番にグループ化する方式で２個のグループに分けられる。すなわち、P0〜P3を１つの群とし、P4〜P7を別の群とする。したがって、P0〜P3はP0にマッピングされ、P4〜P7はP1にマッピングされる。或いは、P0〜P3はP1にマッピングされ、P4〜P7はP0にマッピングされる。
【００４５】
ネットワーク装置の物理レーンのエアインターフェースパワーが等しいことを保証するために、好ましくは、プロセッサ１１は、具体的には、
ネットワーク装置の各物理レーンにマッピングされる論理レーンの数が等しくなるように、論理レーンと物理レーンとの予め設定されたマッピング関係に従って、Ｎ個の予め構成された論理レーンをＭ個の論理レーン群に均等に分けるように構成される。したがって、物理レーン間のエアインターフェースパワーのバランスが保証される。
【００４６】
上述の実施形態のいずれか１つに基づき、本発明の本実施形態において提供されるマッピング関係を以下の式１、
【数１２】
0006293286.tif 000013
に示す。式中、Pnは論理レーンのポート番号を表し、n＝０，…，N-1、Nは論理レーンの数のである。Pmは物理レーンのポート番号を表し、m＝０，…，M-1、N＝A*M、Aは正の整数である。また、
【数１３】
0006293286.tif 000014
はマッピング行列であり、波の放射パターンと呼ばれてもよい。マッピング行列の各行はA個のノンゼロエレメントを含み、マッピング行列の異なる行に含まれるノンゼロエレメントの位置は全て異なり、マッピング行列の各行に含まれるノンゼロエレメントは、該行に対応する論理レーン群に含まれる論理レーンに対応する重み付け係数である。
【００４７】
式１に基づき、具体的には、プロセッサ１１は、論理レーンと物理レーンとの予め設定されたマッピング関係のマッピング行列に従って、Ｎ個の予め構成された論理レーンをＭ個の論理レーン群に分け、各論理レーンに対応する重み付け係数に従って、論理レーン群の各々をネットワーク装置の異なる物理レーンにマッピングする。
【００４８】
更に、物理レーンのエアインターフェースパワーを等しくするために、上述のマッピング関係では、各論理レーン群に含まれる論理レーンに対応する重み付け係数は、以下の条件のうち少なくとも１つを満たす必要がある。
第１に、同じ論理レーン群に含まれる論理レーンに対応する重み付け係数のノルムが等しい。
第２に、任意の２つの異なる論理レーン群に含まれる論理レーンに対応する重み付け係数のノルムの平方和が等しい。
【００４９】
好ましくは、論理レーンと物理レーンとの予め設定されたマッピング関係において、同じ論理レーン群に含まれる論理レーンに対応する重み付け係数のノルムが等しく、任意の２つの異なる論理レーン群に含まれる論理レーンに対応する重み付け係数のノルムの平方和が等しい。
【００５０】
ネットワーク装置の各物理レーンのパワースペクトル密度を正規化するために、好ましくは、論理レーンと物理レーンとの予め設定されたマッピング関係において、同じ論理レーン群に含まれる論理レーンに対応する重み付け係数のノルムは等しく、任意の２つの異なる論理レーン群に含まれる論理レーンに対応する重み付け係数のノルムの平方和は１に等しい。
【００５１】
マッピングを実行するとき、予め設定された重み付け係数に従って各論理レーン群が異なる物理レーンにマッピングされる。各論理レーン群に含まれる論理レーンに対応する重み付け係数の位相は同じであってよく、或いは異なってもよい。更に、各論理レーン群に含まれる論理レーンに対応する重み付け係数の位相は、別のアルゴリズム（例えばＰＡＲ（Peak  to  Average  Power  Ratio）低減アルゴリズム）に関連して設定されてよい。
【００５２】
上述の実施形態のいずれか１つに基づき、論理レーンと物理レーンとの予め設定されたマッピング関係において、異なる論理レーン群において同じ位置に位置する論理レーンに対応する重み付け係数は同じであってよく、或いは異なってよい。
【００５３】
好ましくは、ネットワーク装置の各物理レーンのダウンリンク送信電力がより均一になるように、論理レーンと物理レーンとの予め設定されたマッピング関係において、異なる論理レーン群において同じ位置に位置する論理レーンに対応する重み付け係数は同じである。
【００５４】
具体的には、異なる論理レーン群に含まれる１つ目の論理レーンに対応する重み付け係数は等しく、異なる論理レーン群に含まれる２つ目の論理レーンに対応する重み付け係数は等しく、類推できるように、異なる論理レーン群に含まれる最後の論理レーンに対応する重み付け係数は等しい。
【００５５】
本発明の本実施形態のマッピング関係では、論理レーンに対応する重み付け係数が同じであることは、重み係数の数値と位相の両方が同じであることを意味する。また、論理レーンに対応する重み付け係数が異なることは、重み係数の数値が異なり、且つ／又は、重み付け係数の位相が異なることを意味する。
【００５６】
上述の実施形態のいずれか１つに基づき、Ｍ＝２のとき、式１中のマッピング行列では、１行目の要素は２行目の要素と同じであり、１行目の要素が配置される順序は、２行目の要素が配置される順序と逆である。
【００５７】
具体的には、マッピング行列の１行目の要素のうち第１の論理レーン群内の論理レーンに対応する要素は、それぞれ、論理レーン群内の論理レーンに対応する重み付け係数であり、１行目の要素のうちその他の要素の値は０である。２行目の要素のうち第２の論理レーン群内の論理レーンに対応する要素は、それぞれ、論理レーン群内の論理レーンに対応する重み付け係数であり、２行目の要素のうちその他の要素の値は０である。
【００５８】
例えば、予め構成された論理レーンの数が４であり（そのポート番号はP0〜P3と記録される）、ネットワーク装置の物理レーンの数が２である（そのポート番号はP0，P1と記録される）と仮定すると、４個の論理レーンは、以下のマッピング関係：
【数１４】
0006293286.tif 000015
に従って、２個の物理レーンにマッピングされてよい。マッピング関係において、各論理レーン群内の論理レーンに対応する重み付け係数によって形成されるマッピング行列の１行目に含まれる要素は、２行目に含まれる要素と同じである。すなわち、要素の数値と位相の両方が同じであり、１行目に含まれる要素が配置される順序は、２行目に含まれる要素が配置される順序と逆である。
【００５９】
なお、本発明の本実施形態において提供されるネットワーク装置が協調するネットワーク装置と協調マルチポイント送信／受信を実行するとき、協調するネットワーク装置の物理レーンの数が予め構成された論理レーンの数よりも大きいので、マッピングは、背景技術に記載の従来のマッピング方式を用いて、協調するネットワーク装置の物理レーンと予め構成された論理レーンとの間で実行されてよく、それにより、協調するネットワーク装置の物理レーンを用いて、予め構成された論理レーンに構成された信号が伝送される。
【００６０】
同じ発明概念に基づいて、本発明の実施形態は更にデータ伝送方法を提供する。図２に示されるように、本方法は以下のステップを含む。
【００６１】
Ｓ２１：ネットワーク装置が、論理レーンと物理レーンとの予め設定されたマッピング関係に従って、Ｎ個の予め構成された論理レーンをＭ個の論理レーン群に分け、論理レーン群の各々をネットワーク装置の異なる物理レーンにマッピングする。ＭとＮの両方は正の整数であり、ＭはＮよりも小さく、Ｍはネットワーク装置の物理レーンの数である。
【００６２】
このステップでは、まず予め構成された論理レーンがＭ個の論理レーン群に分けられる。各論理レーン群に含まれる論理レーンは全て異なる。そして、論理レーン群の各々が、ネットワーク装置の異なる物理レーンにマッピングされる。各論理レーン群は１つの物理レーンにのみマッピングすることができる。
【００６３】
Ｓ２２：ネットワーク装置が、ネットワーク装置の物理レーンの各々を用いて、受信装置に、物理レーンの各々に対応する論理レーン群の各論理レーンに構成された信号を伝送する。
【００６４】
本発明の本実施形態では、ネットワーク装置が、論理レーンと物理レーンとの予め設定されたマッピング関係に従って、Ｎ個の予め構成された論理レーンをＭ個の論理レーン群に分け、論理レーン群の各々をネットワーク装置の異なる物理レーンにマッピングする。ＭとＮの両方は正の整数であり、ＭはＮよりも小さく、Ｍはネットワーク装置の物理レーンの数である。また、ネットワーク装置が、ネットワーク装置の物理レーンを用いて、受信装置に、物理レーンの各々に対応する論理レーン群の各論理レーンに構成された信号を伝送する。このように、ネットワーク装置は、その数がネットワーク装置の物理レーンの数よりも多い論理レーンをサポートすることができる。
【００６５】
上述の方法は、マクロ基地局、マイクロ基地局、ピコ基地局、ホームノードＢ（フェムト基地局とも呼ばれる）、ＲＲＵ等によって実行されてよい。
【００６６】
本発明の本実施形態は、ネットワーク装置と他のネットワーク装置が同時に受信装置への通信接続を有し、且つ、別のネットワーク装置の物理レーンの数が、本ネットワーク装置の物理レーンの数よりも大きい適用シナリオに、特に適用可能である。
【００６７】
本発明の本実施形態の好適な適用シナリオに基づき、物理レーンの数が異なるネットワーク装置間で協調マルチポイント送信／受信が実行されるとき、物理レーンの数が少ないネットワーク装置は、該ネットワーク装置の物理レーンの数よりも多い論理レーンをサポートすることができる。よって、ＭＩＭＯモードは物理レーンの数が少ないネットワーク装置によって制限されなくなり、また、物理レーンの数が多いネットワーク装置の識別可能な論理レーンも限定されない。このように、物理レーンの数が多いネットワーク装置（例えばマクロ基地局）にローミングするとき、ユーザーは、高次ＭＩＭＯモードによってもたらされる利益の恩恵を受けることができる。物理レーンの数が少ないネットワーク装置（例えばマイクロ基地局）にローミングするとき、ユーザーは、ＲＲＣシグナリングを用いて、低次ＭＩＭＯモードに適応又は制限されることができる。したがって、ユーザーエクスペリエンスが改善される。
【００６８】
実施中、論理レーンと物理レーンとの予め設定されたマッピング関係において、予め構成された論理レーンをグループ化する方式は本発明の本実施形態において限定されない。予め構成された論理レーンは、任意のグループ化方式を用いてグループ化されてよい。
【００６９】
更に、論理レーンと物理レーンとの予め設定されたマッピング関係において、異なる論理レーン群が異なる物理レーンにマッピングされれば、物理レーンと論理レーン群とのマッピングは本発明の本実施形態において限定されない。
【００７０】
ネットワーク装置の物理レーンのエアインターフェースパワーを等しくするために、好ましくは、ステップＳ２１において、ネットワーク装置が論理レーンと物理レーンとの予め設定されたマッピング関係に従って、Ｎ個の予め構成された論理レーンをＭ個の論理レーン群に分けるステップは、具体的には、
ネットワーク装置が、ネットワーク装置の各物理レーンにマッピングされる論理レーンの数が等しくなるように、論理レーンと物理レーンとの予め設定されたマッピング関係に従って、Ｎ個の予め構成された論理レーンをＭ個の論理レーン群に均等に分けるステップ、
を含む。したがって、物理レーン間のエアインターフェースパワーのバランスが保証される。
【００７１】
上述の実施形態のいずれか１つに基づき、本発明の本実施形態において提供されるマッピング関係を式１に示す。
【００７２】
式１に基づき、具体的には、ネットワーク装置は、上述のマッピング関係中のマッピング行列に従って、Ｎ個の予め構成された論理レーンをＭ個の論理レーン群に均等に分け、各論理レーンに対応する重み付け係数に従って、論理レーン群の各々をネットワーク装置の異なる物理レーンにマッピングする。
【００７３】
更に、物理レーンのエアインターフェースパワーを等しくするために、上述のマッピング関係では、各論理レーン群に含まれる論理レーンに対応する重み付け係数は、以下の条件のうち少なくとも１つを満たす必要がある。
第１に、同じ論理レーン群に含まれる論理レーンに対応する重み付け係数のノルムが等しい。
第２に、任意の２つの異なる論理レーン群に含まれる論理レーンに対応する重み付け係数のノルムの平方和が等しい。
【００７４】
好ましくは、論理レーンと物理レーンとの予め設定されたマッピング関係において、同じ論理レーン群に含まれる論理レーンに対応する重み付け係数のノルムが等しく、任意の２つの異なる論理レーン群に含まれる論理レーンに対応する重み付け係数のノルムの平方和が等しい。
【００７５】
ネットワーク装置の各物理レーンのパワースペクトル密度を正規化するために、好ましくは、論理レーンと物理レーンとの予め設定されたマッピング関係において、同じ論理レーン群に含まれる論理レーンに対応する重み付け係数のノルムが等しく、任意の２つの異なる論理レーン群に含まれる論理レーンに対応する重み付け係数のノルムの平方和が１に等しい。
【００７６】
マッピングを実行するとき、予め設定された重み付け係数に従って、各論理レーン群が、ネットワーク装置の異なる物理レーンにマッピングされる。各論理レーン群に含まれる論理レーンに対応する重み付け係数の位相は同じであってよく、或いは異なってよい。更に、各論理レーン群に含まれる論理レーンに対応する重み付け係数の位相は、別のアルゴリズム（例えばＰＡＲ低減アルゴリズム）に関連して設定されてよい。
【００７７】
上述の実施形態のいずれか１つに基づき、論理レーンと物理レーンとの予め設定されたマッピング関係において、異なる論理レーン群において同じ位置に位置する論理レーンに対応する重み付け係数は、同じであっても異なってもよい。
【００７８】
好ましくは、ネットワーク装置の各物理レーンのダウンリンク送信電力がより均一になるように、論理レーンと物理レーンとの予め設定されたマッピング関係において、異なる論理レーン群において同じ位置に位置する論理レーンに対応する重み付け係数は同じである。
【００７９】
具体的には、論理レーンと物理レーンとの予め設定されたマッピング関係において、論理レーンに対応する重み付け係数が同じであることは、重み係数の数値と位相の両方が同じであることを意味する。論理レーンに対応する重み付け係数が異なることは、重み付け係数の数値が異なり、且つ／又は、重み付け係数の位相が異なることを意味する。
【００８０】
上述の実施形態のいずれか１つに基づき、Ｍ＝２のとき、式１中のマッピング行列では、１行目の要素は２行目の要素と同じであり、１行目の要素が配置される順序は、２行目の要素が配置される順序と逆である。
【００８１】
具体的には、マッピング行列の１行目の要素のうち第１の論理レーン群内の論理レーンに対応する要素は、それぞれ、論理レーン群内の論理レーンに対応する重み付け係数であり、１行目の要素のうちその他の要素の値は０である。２行目の要素のうち第２の論理レーン群内の論理レーンに対応する要素は、それぞれ、論理レーン群内の論理レーンに対応する重み付け係数であり、２行目の要素のうちその他の要素の値は０である。
【００８２】
なお、ネットワーク装置と別のネットワーク装置との協調マルチ動作モードに基づき、別のネットワーク装置の物理レーンの数が予め構成された論理レーンの数よりも多いので、マッピングは、背景技術に記載の従来のマッピング方式を用いて、別のネットワーク装置の物理レーンと予め構成された論理レーンとの間で実行されてよく、それにより、別のネットワーク装置の物理レーンを用いて、予め構成された論理レーンに構成された信号が伝送される。
【００８３】
以下の４つの具体的な実施形態に関して、以下、本発明の本実施形態において提供されるデータ伝送方法が協調マルチポイント動作モードで適用される場合、物理レーンの数が少ないネットワーク装置によって用いられるマッピング関係について詳細に説明する。
【００８４】
本発明の実施形態１：８レーンネットワークエレメント（又は４レーンネットワークエレメント又は２レーンのネットワークエレメント）が１レーンネットワークエレメントと協調するとき、ネットワーク計画における技術的パラメータで設定されるＣＲＳは、２つの論理レーンを有する。したがって、１レーンネットワークエレメントは、以下のマッピング方式、
【数１５】
0006293286.tif 000016
を用いて、１レーンネットワークエレメントの物理レーンに、ネットワーク計画における技術的パラメータで構成された論理レーンをマッピングしてよく、且つ、
【数１６】
0006293286.tif 000017
が満たされる。
【００８５】
更に、ネットワーク装置の各物理レーンのパワースペクトル密度を正規化するために、
【数１７】
0006293286.tif 000018
である。
【００８６】
このマッピング方式では、１レーンネットワークエレメントの物理レーンの数が１であるので、２つの予め構成された論理レーンを１つの群とし、設定された重み付け係数に従って、２つの論理レーンは１つの物理レーンにマッピングされる。
【００８７】
このマッピング方式では、好ましくは、マッピング行列中の重み付け係数の値は、
【数１８】
0006293286.tif 000019
又は、
【数１９】
0006293286.tif 000020
であってよい。当然ながら、各論理レーン群に含まれる論理レーンに対応する重み付け係数のノルムが等しいことと、任意の２つの異なる論理レーン群に含まれる論理レーンに対応する重み付け係数のノルムの平方和が等しいこととを満たせば、このマッピング方式における重み付け係数は他の値であってもよい。
【００８８】
本実施形態では、８レーンネットワークエレメントについて、予め構成された論理レーンの数が８レーンネットワークエレメントの物理レーンの数よりも少ないので、８レーンネットワークエレメントは、従来のマッピング方式でマッピングを実行してよい。
【００８９】
本発明の実施形態２：８レーンネットワークエレメント（又は４レーンネットワークエレメント）が１レーンネットワークエレメントと協調するとき、ネットワーク計画における技術的パラメータで構成されるＣＲＳは４つの論理レーンを有する。したがって、１レーンネットワークエレメントは、以下のマッピング方式、
【数２０】
0006293286.tif 000021
を用いて、１レーンネットワークエレメントの物理レーンに、ネットワーク計画における技術的パラメータで構成された論理レーンをマッピングしてよく、且つ、
【数２１】
0006293286.tif 000022
が満たされる。
【００９０】
更に、ネットワーク装置の各物理レーンのパワースペクトル密度を正規化するために、
【数２２】
0006293286.tif 000023
である。
【００９１】
このマッピング方式では、１レーンネットワークエレメントの物理レーンの数が１であるので、４つの予め構成された論理レーンを１つの群とし、設定された重み付け係数に従って、４つの論理レーンは１つの物理レーンにマッピングされる。
【００９２】
このマッピング方式では、好ましくは、マッピング行列中の重み付け係数の値は、
【数２３】
0006293286.tif 000024
又は、
【数２４】
0006293286.tif 000025
であってよい。当然ながら、各論理レーン群に含まれる論理レーンに対応する重み付け係数のノルムが等しいことと、任意の２つの異なる論理レーン群に含まれる論理レーンに対応する重み付け係数のノルムの平方和が等しいこととを満たせば、このマッピング方式における重み付け係数は他の値であってもよい。
【００９３】
本実施形態では、８レーンネットワークエレメントについて、予め構成された論理レーンの数が８レーンネットワークエレメントの物理レーンの数よりも少ないので、８レーンネットワークエレメントは、従来のマッピング方式でマッピングを実行してよい。
【００９４】
本発明の実施形態３：８レーンネットワークエレメント（又は４レーンネットワークエレメント）が２レーンネットワークエレメントと協調するとき、ネットワーク計画における技術的パラメータで設定されるＣＲＳは４つの論理レーンを有する。したがって、２レーンネットワークエレメントは、以下のマッピング方式、
【数２５】
0006293286.tif 000026
を用いて、２レーンネットワークエレメントの物理レーンに、ネットワーク計画における技術的パラメータで構成された論理レーンをマッピングしてよい。
このマッピング方式では、４つの論理レーンが２つの群に分けられ、各論理レーン群は２つの異なる論理レーンを含む。例えば、P0とP1を１つの群とし、P2とP3を１つの群とする。或いは、P0とP2を１つの群とし、P1とP3を１つの群とする。或いは、P0とP3を１つの群とし、P1とP2を１つの群とする。どのようにグループ化されるかに関わらず、各論理レーン群に含まれる論理レーンに対応する重み付け係数は全て、各論理レーン群の論理レーンに対応する重み付け係数のノルムが等しいことと、各論理レーン群の論理レーンに対応する重み付け係数のノルムの平方和が等しいこととを満たす必要がある。
【００９５】
更に、ネットワーク装置の各物理レーンのパワースペクトル密度を正規化するために、各論理レーン群の論理レーンに対応する重み付け係数のノルムは等しく、各論理レーン群の論理レーンに対応する重み付け係数のノルムの平方和は１に等しい。
【００９６】
例えば、P0とP1が第１の群とされ、P2とP3が第２の群とされる例を用いると、第１の論理レーン群について、その重み付け係数は
【数２６】
0006293286.tif 000027
且つ
【数２７】
0006293286.tif 000028
を満たす必要がある。第２の論理レーン群について、その重み付け係数は、  
【数２８】
0006293286.tif 000029
且つ
【数２９】
0006293286.tif 000030
を満たす必要がある。ここで、
【数３０】
0006293286.tif 000031
である。
【００９７】
このマッピング方式では、好ましくは、マッピング行列中の重み付け係数の値は、
【数３１】
0006293286.tif 000032
且つ
【数３２】
0006293286.tif 000033
であってよく、又は、
【数３３】
0006293286.tif 000034
且つ
【数３４】
0006293286.tif 000035
であってよい。当然ながら、各論理レーン群に含まれる論理レーンに対応する重み付け係数のノルムが等しいことと、任意の２つの異なる論理レーン群に含まれる論理レーンに対応する重み付け係数のノルムの平方和が等しいこととを満たせば、このマッピング方式における重み付け係数は他の値であってもよい。
【００９８】
本実施形態では、８レーンネットワークエレメントについて、予め構成された論理レーンの数が８レーンネットワークエレメントの物理レーンの数よりも少ないので、８レーンネットワークエレメントは、従来のマッピング方式でマッピングを実行してよい。
【００９９】
本発明の実施形態４：８レーンネットワークエレメントが４レーンネットワークエレメント、２レーンネットワークエレメント及び１レーンネットワークエレメントとトラフィックビーム協調（TM9  CoMP）を行うとき、それぞれ、ネットワーク計画における技術的パラメータで構成されるＣＲＳは８つの論理レーンを有する。
【０１００】
したがって、１レーンネットワークエレメントは、以下のマッピング方式、
【数３５】
0006293286.tif 000036
を用いて、１レーンネットワークエレメントの物理レーンに、ネットワーク計画における技術的パラメータで構成された論理レーンをマッピングしてよい。
マッピング行列中の重み付け係数は、
【数３６】
0006293286.tif 000037
を満たす必要がある。
【０１０１】
更に、ネットワーク装置の各物理レーンのパワースペクトル密度を正規化するために、
【数３７】
0006293286.tif 000038
である。
【０１０２】
１レーンネットワークエレメントのマッピング方式では、好ましくは、マッピング行列中の重み付け係数の値は、
【数３８】
0006293286.tif 000039
又は
【数３９】
0006293286.tif 000040
であってよい。当然ながら、各論理レーン群に含まれる論理レーンに対応する重み付け係数のノルムが等しいことと、任意の２つの異なる論理レーン群に含まれる論理レーンに対応する重み付け係数のノルムの平方和が等しいこととを満たせば、このマッピング方式における重み付け係数は他の値であってもよい。
【０１０３】
２レーンネットワークエレメントは、以下のマッピング方式、
【数４０】
0006293286.tif 000041
を用いて、２レーンネットワークエレメントの物理レーンに、ネットワーク計画における技術的パラメータで構成された論理レーンをマッピングしてよい。
２レーンネットワークエレメントの上述のマッピング方式では、ネットワーク計画における技術的パラメータで構成された８つの論理レーンが２つの群に分けられる必要があり、各群は４つの異なる論理レーンを含む。本実施形態においてグループ化方式は限定されないが、どのようにグループ化されるかに関わらず、各論理レーン群の論理レーンに対応する重み付け係数は全て、論理レーン群内の論理レーンに対応する重み付け係数のノルムが等しいことと、論理レーン群内の論理レーンに対応する重み付け係数のノルムの平方和が等しいこととを満たす必要がある。
【０１０４】
更に、ネットワーク装置の各物理レーンのパワースペクトル密度を正規化するために、各論理レーン群の論理レーンに対応する重み付け係数のノルムは等しく、各論理レーン群の論理レーンに対応する重み付け係数のノルムの平方和は１に等しい。
【０１０５】
2レーンネットワークエレメントのマッピング方式では、好ましくは、マッピング行列中の重み付け係数の値は、
【数４１】
0006293286.tif 000042
又は
【数４２】
0006293286.tif 000043
又は
【数４３】
0006293286.tif 000044
であってよい。当然ながら、各論理レーン群に含まれる論理レーンに対応する重み付け係数のノルムが等しいことと、任意の２つの異なる論理レーン群に含まれる論理レーンに対応する重み付け係数のノルムの平方和が等しいこととを満たせば、このマッピング方式における重み付け係数は他の値であってもよい。
【０１０６】
４レーンネットワークエレメントは、以下のマッピング方式、
【数４４】
0006293286.tif 000045
又は
【数４５】
0006293286.tif 000046
又は
【数４６】
0006293286.tif 000047
を用いて、４レーンネットワークエレメントの物理レーンに、ネットワーク計画における技術的パラメータで構成された論理レーンをマッピングしてよい。
４レーンネットワークエレメントの上述のマッピング方式では、ネットワーク計画における技術的パラメータで構成された８つの論理レーンが４つの群に分けられる必要があり、各論理レーン群は２つの異なる論理レーンを含む。本実施形態においてグループ化方式は限定されないが、どのようにグループ化されるかに関わらず、各論理レーン群の論理レーンに対応する重み付け係数は全て、論理レーン群内の論理レーンに対応する重み付け係数のノルムが等しいことと、論理レーン群内の論理レーンに対応する重み付け係数のノルムの平方和が等しいこととを満たす必要がある。
【０１０７】
更に、ネットワーク装置の各物理レーンのパワースペクトル密度を正規化するために、各論理レーン群の論理レーンに対応する重み付け係数のノルムは等しく、各論理レーン群の論理レーンに対応する重み付け係数のノルムの平方和は１に等しい。
【０１０８】
４レーンネットワークエレメントのマッピング方式では、マッピング行列中の重み付け係数の値は、
【数４７】
0006293286.tif 000048
又は
【数４８】
0006293286.tif 000049
であってよい。当然ながら、各論理レーン群に含まれる論理レーンに対応する重み付け係数のノルムが等しいことと、任意の２つの異なる論理レーン群に含まれる論理レーンに対応する重み付け係数のノルムの平方和が等しいこととを満たせば、このマッピング方式における重み付け係数は他の値であってもよい。
【０１０９】
上記方法の処理手順は、ソフトウェアプログラムを用いて実現することができる。ソフトウェアプログラムは記憶媒体に格納されてよく、格納されたソフトウェアプログラムが呼び出されたとき、上述の方法のステップが実行される。
【０１１０】
同じ発明概念に基づいて、本発明の実施形態は更にデータ伝送装置を提供する。データ伝送装置は、上述の方法実施形態におけるネットワーク装置であってよい。データ伝送装置はＭ個の物理レーンを有する。図３に示されるように、データ伝送装置は、
論理レーンと物理レーンとの予め設定されたマッピング関係に従って、Ｎ個の予め構成された論理レーンをＭ個の論理レーン群に分け、論理レーン群の各々をデータ伝送装置の異なる物理レーンにマッピングするように構成される処理モジュール３１であって、ＭとＮの両方は正の整数であり、ＭはＮよりも小さく、Ｍはデータ伝送装置の物理レーンの数である、処理モジュール３１と、
データ伝送装置の物理レーンの各々を用いて、受信装置に、物理レーンの各々に対応する論理レーン群の各論理レーンに構成された信号を伝送するように構成される伝送モジュール３２と、
を備える。
【０１１１】
本発明の本実施形態において提供されるデータ伝送装置が受信装置にデータを送信するとき、データ伝送装置は、該データ伝送装置の物理レーンの数よりも多い論理レーンをサポートすることができる。
【０１１２】
本発明の本実施形態におけるデータ伝送装置は、データ送信装置と協調するネットワーク装置とが同時に受信装置にサービスを提供し、且つ、協調するネットワーク装置の物理レーンの数が、本発明の本実施形態において提供されるデータ伝送装置の物理レーンの数よりも大きい適用シナリオに適用可能である。
【０１１３】
上述の適用シナリオに基づき、本発明の本実施形態において提供されるネットワーク装置が、協調するネットワーク装置と協調マルチポイント送信／受信を実行するとき、本発明の本実施形態において提供されるネットワーク装置は、該ネットワーク装置の物理レーンの数よりも多い論理レーンをサポートすることができる。よって、物理レーンの数が少ないネットワーク装置によってＭＩＭＯモードが制限されなくなり、また、物理レーンの数が多いネットワーク装置の識別可能な論理レーンも限定されない。このように、協調するネットワーク装置（例えばマクロ基地局）にローミングするとき、ユーザーは、高次ＭＩＭＯモードによってもたらされる利益の恩恵を受けることができる。また、本発明の実施形態において提供されるデータ伝送装置（例えばマイクロ基地局）にローミングするとき、ユーザーは、無線リソース制御（Radio  Resource  Control，ＲＲＣ）シグナリングを用いて、低次ＭＩＭＯモードに適応又は制限されることができる。したがって、ユーザーエクスペリエンスが改善される。
【０１１４】
好ましくは、処理モジュール３１は、具体的には、論理レーンと物理レーンとの予め設定されたマッピング関係に従って、Ｎ個の予め構成された論理レーンをＭ個の論理レーン群に均等に分けるように構成される。
【０１１５】
上述の実施形態のいずれか１つに基づき、本発明の本実施形態において提供されるマッピング関係を式１に示す。
【０１１６】
式１に基づき、具体的には、処理モジュール３１は、上述のマッピング関係中のマッピング行列に従って、Ｎ個の予め構成された論理レーンをＭ個の論理レーン群に均等に分け、各論理レーンに対応する重み付け係数に従って、論理レーン群の各々をデータ伝送装置の異なる物理レーンにマッピングする。
【０１１７】
更に、物理レーンのエアインターフェースパワーを等しくするために、上述のマッピング関係では、各論理レーン群に含まれる論理レーンに対応する重み付け係数は、以下の条件のうち少なくとも１つを満たす必要がある。
第１に、同じ論理レーン群に含まれる論理レーンに対応する重み付け係数のノルムが等しい。
第２に、任意の２つの異なる論理レーン群に含まれる論理レーンに対応する重み付け係数のノルムの平方和が等しい。
【０１１８】
データ伝送装置の各物理レーンのパワースペクトル密度を正規化するために、好ましくは、論理レーンと物理レーンとの予め設定されたマッピング関係において、同じ論理レーン群に含まれる論理レーンに対応する重み付け係数のノルムは等しく、任意の２つの異なる論理レーン群に含まれる論理レーンに対応する重み付け係数のノルムの平方和は１に等しい。
【０１１９】
マッピングを実行するとき、予め設定された重み付け係数に従って、各論理レーン群はデータ伝送装置の異なる物理レーンにマッピングされる。各論理レーン群に含まれる論理レーンに対応する重み付け係数の位相は、同じであっても異なってもよい。更に、各論理レーン群に含まれる論理レーンに対応する重み付け係数の位相は、別のアルゴリズム（例えばＰＡＲ低減アルゴリズム）に関連して設定されてよい。
【０１２０】
上述の実施形態のいずれか１つに基づき、論理レーンと物理レーンとの予め設定されたマッピング関係において、異なる論理レーン群において同じ位置に位置する論理レーンに対応する重み付け係数は、同じであっても異なってもよい。
【０１２１】
好ましくは、データ伝送装置の各物理レーンのダウンリンク送信電力がより均一になるように、論理レーンと物理レーンとの予め設定されたマッピング関係において、異なる論理レーン群において同じ位置に位置する論理レーンに対応する重み付け係数は同じである。
【０１２２】
上述の実施形態のいずれか１つに基づき、Ｍ＝２のとき、式１のマッピング行列では、１行目の要素は２行目の要素と同じであり、１行目の要素が配置される順序は、２行目の要素が配置される順序と逆である。
【０１２３】
具体的には、マッピング行列の１行目の要素のうち第１の論理レーン群内の論理レーンに対応する要素は、それぞれ、論理レーン群内の論理レーンに対応する重み付け係数であり、１行目の要素のうちその他の要素の値は０である。２行目の要素のうち第２の論理レーン群内の論理レーンに対応する要素は、それぞれ、論理レーン群内の論理レーンに対応する重み付け係数であり、２行目の要素のうちその他の要素の値は０である。
【０１２４】
なお、本発明の本実施形態において提供されるデータ伝送装置と別のネットワーク装置との協調マルチポイント動作モードに基づき、別のネットワーク装置の物理レーンの数が予め構成された論理レーンの数よりも多いので、マッピングは、背景技術に記載の従来のマッピング方式を用いて、別のネットワーク装置の物理レーンと予め構成された論理レーンとの間で実行されてよく、それにより、別のネットワーク装置の物理レーンを用いて、予め構成された論理レーンに構成された信号が伝送される。
【０１２５】
本発明の本実施形態において提供されるデータ伝送装置の具体的な実施方法については、関連する方法部分を参照することができ、ここでは詳細の説明を省略する。
【０１２６】
当業者であれば、本発明の実施形態が方法、システム又はコンピュータープログラム製品として提供されてよいことが理解できるはずである。したがって、本発明は、ハードウェアのみの実施形態、ソフトウェアのみの実施形態、又はソフトウェアとハードウェアの組み合わせによる実施形態の形を用いることができる。また、本発明は、コンピューター使用可能プログラムコードを含む１以上のコンピューター使用可能記憶媒体（ディスクメモリ、ＣＤ−ＲＯＭ、光メモリ等を含むがこれらに限定されない）上に実装されるコンピュータープログラム製品の形を用いてよい。
【０１２７】
本発明は、本発明の実施形態に係る方法、装置（システム）及びコンピュータープログラム製品のフローチャート及び／又はブロック図を参照して説明されている。なお、コンピュータープログラム命令を用いて、フローチャート及び／又はブロック図の各プロセス及び／又は各ブロックと、フローチャート及び／又はブロック図のプロセス及び／又はブロックの組み合わせが実現されてよい。このようなコンピュータープログラム命令は、汎用コンピューター、専用コンピューター、組込みプロセッサその他のプログラマブルデータ処理デバイスのプロセッサに対して提供されて、機械を生み出してよい。よって、コンピューターその他のプログラマブルデータ処理デバイスのプロセッサによって実行される命令により、フローチャートの１以上のプロセス及び／又はブロック図の１以上のブロックに指定される機能を実現する装置が生み出される。
【０１２８】
また、そのようなコンピュータープログラム命令は、コンピューターその他のプログラマブルデータ処理デバイスに特定の方式で動作するように命令できるコンピューター可読メモリに格納されてもよい。よって、コンピューター可読メモリに格納された命令により、命令装置を含む製造品が生み出される。命令装置は、フローチャートの１以上のプロセス及び／又はブロック図の１以上のブロックに指定される機能を実現する。
【０１２９】
また、そのようなコンピュータープログラム命令は、コンピューターその他のプログラマブルデータ処理デバイスにロードされてもよい。よって、該コンピューターその他のプログラマブルデバイス上で一連の動作及びステップが実行され、結果として、コンピューター実施処理が生成される。したがって、コンピューターその他のプログラマブルデバイス上で実行される命令により、フローチャートの１以上のプロセス及び／又はブロック図の１以上のブロックに指定される機能を実現するステップが提供される。
【０１３０】
本発明のいくつかの好ましい実施形態について説明したが、当業者であれば、基本的な発明概念を知ることにより、そのような実施形態への変更及び修正を行うことができるであろう。したがって、以下の特許請求の範囲は、好ましい実施形態と本発明の範囲内の全ての変更及び修正を網羅するように解釈されることが意図される。
【０１３１】
当然ながら、当業者であれば、本発明の主旨及び範囲から逸脱することなく本発明に様々な修正及び変形を行うことができる。本発明は、それらが以下の特許請求の範囲及びそれらの均等な技術によって定めされる保護範囲内に入るものとして、これらの修正及び変形を包含することが意図される。
【図１】
0006293286.tif 000054
【図２】
0006293286.tif 000055
【図３】
0006293286.tif 000056